(57)【特許請求の範囲】
【請求項１】
取引の入金金額の入力後、前記取引における現金を現金投入口へ投入する前に前記取引の中断操作が行われた場合に、前記中断操作を行った操作者の識別情報と、前記取引とを紐付けた中断情報を生成する中断情報生成部と、
再開操作が行われた場合に、前記再開操作を行った操作者の識別情報に基づいて前記中断情報を抽出し、抽出した前記中断情報を含む再開表示を生成する表示生成部と、
前記再開操作を行った操作者によって前記再開表示から選択された前記中断情報に対応する前記取引における現金の入金を可能にする入金制御部と、
を備える、現金処理装置。
【請求項２】
前記表示生成部は、前記再開操作を行った操作者の識別情報に対して紐付けられた前記取引の前記中断情報を抽出する、請求項１に記載の現金処理装置。
【請求項３】
前記表示生成部は、前記再開操作を行った操作者の識別情報に関連する識別情報に対して紐付けられた前記取引の前記中断情報を抽出する、請求項１に記載の現金処理装置。
【請求項４】
前記中断情報は、前記再開表示から一度に複数選択され、
前記入金制御部は、選択された複数の前記中断情報に対応する前記取引における入金金額の合計の現金を前記現金投入口に一括して投入することを可能にする、請求項１〜３のいずれか一項に記載の現金処理装置。
【請求項５】
前記中断情報は、前記再開表示から一度に一つのみ選択され、
前記入金制御部は、選択された前記中断情報に対応する前記取引における入金金額の現金の入金を可能にする、請求項１〜３のいずれか一項に記載の現金処理装置。
【請求項６】
レシートプリンタ部をさらに備え、
前記レシートプリンタ部は、前記中断情報が印字された中断レシートを発行する、請求項１〜５のいずれか一項に記載の現金処理装置。
【請求項７】
前記レシートプリンタ部は、前記中断情報に対応する前記取引における現金の入金が行われた場合、前記中断レシートと紐付けられた再開レシートを発行する、請求項６に記載の現金処理装置。
【発明の詳細な説明】
【技術分野】
【０００１】
本発明は、現金処理装置に関する。
【背景技術】
【０００２】
小売店やスーパーマーケットなどの流通施設および商業施設では、売上金を入金し、釣銭準備金等を出金する現金処理装置が設置されている。
【０００３】
このような現金処理装置において、操作者の操作性および利便性を向上させるために、様々な開発がなされている。例えば、下記の特許文献１には、入出金金額の誤り等のため取引完了前に取消操作が行われた取引データの実績を確認することが可能な現金処理装置が開示されている。
【先行技術文献】
【特許文献】
【０００４】
【特許文献１】特開２０１４−１０６８０４号公報
【発明の概要】
【発明が解決しようとする課題】
【０００５】
このような現金処理装置では、現金の計数および収納に時間がかかってしまうため、複数の操作者によって取引が集中した場合、取引を行っている操作者以外の操作者に対して長時間の待ち時間を発生させてしまうことがあった。そのため、取引が集中した場合の現金処理装置の利便性を向上させることが求められていた。
【０００６】
そこで、本発明は、上記問題に鑑みてなされたものであり、本発明の目的とするところは、操作者に対する利便性を向上させることが可能な、新規かつ改良された現金処理装置を提供することにある。
【課題を解決するための手段】
【０００７】
上記課題を解決するために、本発明のある観点によれば、取引の入金金額の入力後、前記取引における現金を現金投入口へ投入する前に前記取引の中断操作が行われた場合に、前記中断操作を行った操作者の識別情報と、前記取引とを紐付けた中断情報を生成する中断情報生成部と、再開操作が行われた場合に、前記再開操作を行った操作者の識別情報に基づいて前記中断情報を抽出し、抽出した前記中断情報を含む再開表示を生成する表示生成部と、前記再開操作を行った操作者によって前記再開表示から選択された前記中断情報に対応する前記取引における現金の入金を可能にする入金制御部と、を備える、現金処理装置が提供される。
【０００８】
前記表示生成部は、前記再開操作を行った操作者の識別情報に対して紐付けられた前記取引の前記中断情報を抽出してもよい。
【０００９】
前記表示生成部は、前記再開操作を行った操作者の識別情報に関連する識別情報に対して紐付けられた前記取引の前記中断情報を抽出してもよい。
【００１０】
前記中断情報は、前記再開表示から一度に複数選択され、前記入金制御部は、選択された複数の前記中断情報に対応する前記取引における入金金額の合計の現金を前記現金投入口に一括して投入することを可能にしてもよい。
【００１１】
前記中断情報は、前記再開表示から一度に一つのみ選択され、前記入金制御部は、選択された前記中断情報に対応する前記取引における入金金額の現金の入金を可能にしてもよい。
【００１３】
現金処理装置は、レシートプリンタ部をさらに備え、前記レシートプリンタ部は、前記中断情報が印字された中断レシートを発行してもよい。
【００１４】
前記レシートプリンタ部は、前記中断情報に対応する前記取引における現金の入金が行われた場合、前記中断レシートと紐付けられた再開レシートを発行してもよい。
【発明の効果】
【００１５】
以上説明したように本発明によれば、操作者に対する利便性を向上させることができる。
【図面の簡単な説明】
【００１６】
【図１】本発明の一実施形態に係る現金処理装置の構成を示す模式図である。
【図２】同実施形態に係る現金処理装置が備える制御部の機能構成を示すブロック図である。
【図３】中断レシートの具体例を示す説明図である。
【図４】再開レシートの具体例を示す説明図である。
【図５】現金処理装置における通常の入金取引の流れを示したフローチャート図である。
【図６】中断操作が行われた入金取引の流れを示したフローチャート図である。
【図７】中断操作後、再開操作が行われた場合の流れを示したフローチャート図である。
【図８】操作表示部に表示される表示の一例を示す模式図である。
【図９】操作表示部に表示される表示の一例を示す模式図である。
【図１０】操作表示部に表示される表示の一例を示す模式図である。
【図１１】操作表示部に表示される表示の一例を示す模式図である。
【発明を実施するための形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
＜１．現金処理装置の概要＞
まず、本発明の一実施形態に係る現金処理装置の概要について説明する。本実施形態に係る現金処理装置は、釣銭として使用される現金を出金する出金取引と、売り上げた現金を入金する入金取引とを行う現金処理装置であり、入出金取引を中断および再開する機能を有するものである。
【００１９】
なお、以下では、主として入金取引を例示して説明するが、出金取引についても同様であることは言うまでもない。
【００２０】
現金処理装置において、入金取引は、例えば、一日の業務の終了後、各レジスタ担当者によって各レジスタから売上が回収され、売上が現金処理装置に投入される際に行われる。ここで、流通施設および商業施設では、多数のレジスタが設置されているが、多くの場合、一日の売上はその日のうちに集計する必要がある。そのため、一日の業務終了後、各レジスタ担当者によって集中して入金取引が行われることが多い。このような場合、一日の業務終了後に入金取引を行うレジスタ担当者が現金処理装置に集中することで混雑が発生してしまうため、各レジスタ担当者は、入金取引を行うために長時間待つ必要があった。
【００２１】
また、入金金額が大きい場合、投入された現金の計数および収納のため、より多くの時間がかかってしまう。一日の売上を入金する場合、入金金額が大きくなることが多いため、一日の業務終了後の入金取引に伴う現金処理装置の混雑は、特に大きくなる傾向があった。
【００２２】
上記の事情を鑑み、本実施形態に係る現金処理装置では、中断操作により取引を中断し、再開操作により中断した取引を再開することを可能にする。これにより、操作者が現金処理装置の空きを待つ時間を短縮することができるため、現金処理装置は、操作者に対する利便性を向上させることができる。
【００２３】
具体的には、本実施形態に係る現金処理装置は、取引における入出金金額の入力が行われた場合、操作者の識別情報と、当該取引とを紐付けて記憶することで、取引を中断することを可能にする。これにより、取引が集中し、現金処理装置が混雑している時には、入出金金額の入力までで取引を中断し、計数および収納のため時間がかかる現金の入金については、現金処理装置が混雑していない時に分散して行えるようにすることができる。なお、現金処理装置への入金前の現金については、例えば、別途、金庫等に保管しておけばよい。
【００２４】
＜２．現金処理装置の構成＞
続いて、図１を参照して、本実施形態に係る現金処理装置の具体的な構成について説明する。図１は、本実施形態に係る現金処理装置１の構成を示す模式図である。
【００２５】
図１に示すように、現金処理装置１は、紙幣投入口１０１と、紙幣一時保留部１０３と、紙幣鑑別部１０５と、万券カセット１０７と、五千券カセット１０９と、千券カセット１１１と、回収カセット１１３と、リジェクト部１１５と、硬貨投入口１１７と、硬貨鑑別部１１９と、硬貨一時保留部１２１と、硬貨返却箱１２３と、出金ホッパ１２５と、硬貨回収庫１２７と、硬貨出金箱１２９と、カードリーダ部１３１と、操作表示部１３３と、レシートプリンタ部１３５と、制御部１５０と、を備える。
【００２６】
紙幣投入口１０１は、現金処理装置１に入金される紙幣が投入される投入口である。また、紙幣投入口１０１は、紙幣の出金口としても機能する。具体的には、紙幣投入口１０１は、売上入金の取り消しにより返却される紙幣、釣銭出金により出金される紙幣、および紙幣鑑別部１０５により正常ではないとしてリジェクトされた紙幣を出金する。
【００２７】
紙幣一時保留部１０３には、入金計数時および売上金作成時に、一時的に紙幣が集積される。また、紙幣鑑別部１０５は、投入された紙幣が正常な紙幣であるか否かを各種センサによって鑑別する。
【００２８】
万券カセット１０７、五千券カセット１０９、および千券カセット１１１は、それぞれ万券、五千券、および千券の紙幣を収納する現金収納部である。具体的には、万券カセット１０７、五千券カセット１０９、および千券カセット１１１（以下では、まとめて各紙幣カセットともいう）には、各種紙幣が釣銭準備金として収納される。また、各紙幣カセットには、売上として入金され、紙幣鑑別部１０５で正常と鑑別された各種紙幣が収納される。さらに、釣銭出金時には、各紙幣カセットからそれぞれ各種紙幣が出金される。
【００２９】
回収カセット１１３は、売上回収のためのカセットである。具体的には、回収カセット１１３には、入金時または精算集計時に、各紙幣カセットから移動された紙幣が売上金として収納される。
【００３０】
リジェクト部１１５には、紙幣鑑別部１０５によって正常な紙幣ではないと鑑別された紙幣、すなわちリジェクトされた紙幣が集積される。具体的には、リジェクト部１１５には、売上入金時に紙幣一時保留部１０３から各紙幣カセットに紙幣を搬送する過程でリジェクトされた紙幣、各紙幣カセットから釣銭出金を行う過程でリジェクトされた紙幣、精算集計時に各紙幣カセットから回収カセット１１３に紙幣を搬送する過程でリジェクトされた紙幣などが集積される。
【００３１】
硬貨投入口１１７は、硬貨が投入される開口である。また、硬貨鑑別部１１９は、投入された硬貨が正常な硬貨であるか否かを各種センサによって鑑別する。さらに、硬貨一時保留部１２１には、入金計数時および精算集計時に、一時的に硬貨が集積される。
【００３２】
硬貨返却箱１２３は、硬貨の返却口であり、計数が行われた硬貨、売上入金の取り消しがなされた硬貨が返却される。また、出金ホッパ１２５は、売上入金によって投入された各種硬貨が収納される現金収納部である。例えば、出金時には出金ホッパ１２５から各種硬貨が出金される。
【００３３】
硬貨回収庫１２７は、売上回収のためのカセットである。具体的には、硬貨回収庫１２７には、精算集計時に出金ホッパ１２５から移動された硬貨が売上金として収納される。また、硬貨出金箱１２９は、釣銭出金時に硬貨を出金するための硬貨出金口である。
【００３４】
カードリーダ部１３１は、レジカードまたはＩＤカード等に書き込まれた情報を読み取る。レジカードまたはＩＤカード等に書き込まれる情報としては、例えば、カードを利用する操作者を識別するための識別情報、および許可されている取引の種類を示す情報が挙げられる。カードリーダ部１３１により読み取られる情報が事前に登録されている情報と一致する場合、後述する制御部１５０は、現金処理装置１の利用を許可する。なお、現金処理装置１は、カードリーダ部１３１に加えて、あるいはカードリーダ部１３１に代えて、指紋認識を行う指紋認識部、または暗証番号の入力を受け付ける暗証番号入力部等を有してもよい。
【００３５】
操作表示部１３３は、操作者による操作を検出する操作部としての機能と、各種画面を表示する表示部としての機能とを備える。表示部としての機能は、例えば、ＣＲＴ（Ｃａｔｈｏｄｅ  Ｒａｙ  Ｔｕｂｅ）ディスプレイ装置、液晶ディスプレイ（Ｌｉｑｕｉｄ  Ｃｒｙｓｔａｌ  Ｄｉｓｐｌａｙ：ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現することができる。また、操作部としての機能は、例えば、タッチパネルにより実現することができる。なお、表示部および操作部の機能は、分離して備えられていてもよい。
【００３６】
レシートプリンタ部１３５は、取引の結果が印字されたレシートを発行する。例えば、レシートプリンタ部１３５は、中断された取引の結果が印字された中断レシート、再開した取引の結果が印字された再開レシートを発行してもよい。
【００３７】
制御部１５０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、およびデータ等を記憶するＨＤＤ（Ｈａｒｄ  Ｄｉｓｋ  Ｄｒｉｖｅ）装置等のデータ格納用記憶装置などで構成される。
【００３８】
このような制御部１５０により、現金処理装置１の動作全般が制御される。例えば、制御部１５０は、レジカードやＩＤカードによる認証が終了した場合、操作者が所望の処理を選択するためのメニュー画面を操作表示部１３３に表示させ、メニュー画面にて操作者が選択した処理の実行を制御してもよい。
【００３９】
＜３．制御部の構成＞
次に、図２を参照して、本実施形態に係る現金処理装置１にて特徴的な制御部１５０の機能について、より具体的に説明する。図２は、本実施形態に係る現金処理装置１が備える制御部１５０の機能構成を示すブロック図である。
【００４０】
図２に示すように、制御部１５０は、中断情報生成部１５１と、中断情報記憶部１５３と、表示生成部１５５と、入出金制御部１５７と、を備える。
【００４１】
中断情報生成部１５１は、中断操作が行われた場合に、中断操作を行った操作者の識別番号と、中断操作が行われた取引とを紐付けた中断情報を生成する。具体的には、中断情報生成部１５１は、操作者によって取引における入出金金額の入力が行われた後、中断操作が行われた場合、操作者の識別情報と、中断操作が行われた取引の入出金金額とを紐付けた中断情報を生成する。ここで、操作者の識別情報とは、例えば、カードリーダ部１３１によって読み取られたＩＤカード等に書き込まれている操作者を識別するための情報（識別ＩＤ）などである。
【００４２】
中断情報生成部１５１が生成した中断情報は、中断情報記憶部１５３に記憶される。中断情報記憶部１５３は、例えば、ＲＡＭなどの一時記憶装置であってもよく、ＨＤＤ装置などのデータ格納用記憶装置であってもよい。
【００４３】
また、中断情報生成部１５１が生成した中断情報は、レシートプリンタ部１３５によって中断レシートに印字される。なお、中断レシートは、操作者に対して発行される。
【００４４】
ここで、中断レシートの具体例を図３に示す。図３は、中断レシートの具体例を示す説明図である。
【００４５】
図３に示すように、中断レシート３００には、中断された取引に関する情報が印字される。例えば、（１）には、取引時刻として「２０１５．０６．１５  ２０：１５」が印字され、取引種別として「入金中断」が印字されている。（２）には、中断された取引の勘定日として「２０１５．０６．１５」が印字されている。また、（３）には、取引の中断操作を識別するための処理通番として「０００１１」が印字され、（４）には、中断操作を行った操作者（取扱者）を識別する識別番号として「１００１１１１１」が印字されている。さらに、（５）には、中断操作時に入力した入出金金額である「１０，０００」が伝票金額として印字されている。
【００４６】
これにより、操作者は、発行された中断レシートを参照することで、入出金金額の入力が行われた後、中断されており、現金の入出金がされていない取引の存在を把握することができる。
【００４７】
表示生成部１５５は、操作表示部１３３に表示される表示を生成する。特に、本実施形態に係る現金処理装置１では、表示生成部１５５は、取引の再開操作が行われた場合、再開操作を行った操作者の識別情報に基づいて中断情報を抽出し、抽出した中断情報を含む再開表示を生成する。これにより、操作者は、再開表示に一覧表示された中断情報を参照することで、再開する取引を選択することができる。
【００４８】
例えば、表示生成部１５５は、取引の再開操作を行った操作者の識別情報に対して紐付けられた取引の中断情報を中断情報記憶部１５３から抽出し、抽出された中断情報を一覧表示した再開表示を生成してもよい。これにより、再開操作を行った操作者は、再開表示に一覧表示された中断情報を選択することで、自身が中断した取引を再開し、現金処理装置１から現金の入出金を行うことができる。
【００４９】
また、表示生成部１５５は、取引の再開操作を行った操作者の識別情報と関連する識別情報に対して紐付けられた取引の中断情報を中断情報記憶部１５３から抽出し、抽出された中断情報を一覧表示した再開表示を生成してもよい。ここで、取引の再開操作を行った操作者は、例えば、レジスタ担当者を管理する管理者を表す。すなわち、表示生成部１５５は、取引の再開操作を行った管理者によって管理されるレジスタ担当者の識別情報に対して紐付けられた取引の中断情報を中断情報記憶部１５３から抽出し、抽出された中断情報を一覧表示した再開表示を生成してもよい。
【００５０】
これにより、再開操作を行った管理者は、再開表示に一覧表示された中断情報を選択することで、管理している操作者によって中断された取引を再開し、現金処理装置１から現金の入出金を行うことができる。この構成によれば、現金処理装置１からの現金の入出金を管理者が一括して行うことができるため、現金処理装置１は、業務効率を向上させ、かつ各レジスタ担当者による不正を防止することができる。
【００５１】
入出金制御部１５７は、再開表示から中断情報が選択された場合、選択された中断情報に対応する取引における現金の入出金を可能にする。具体的には、入出金制御部１５７は、操作表示部１３３に表示された再開表示から操作者によって再開する取引の中断情報が選択された場合、選択された中断情報の入出金金額の現金の入出金が可能になるように現金処理装置１を制御する。これにより、操作者は、現金処理装置１に対して、中断した取引における現金の入出金を行うことができる。
【００５２】
ここで、入出金制御部１５７は、再開表示から一度に選択可能な中断情報を一つのみとしてもよく、複数としてもよい。これらは、現金処理装置１の制御部１５０にあらかじめ設定等され、再開表示から一度に選択可能な中断情報は、一つまたは複数のいずれか一方となっていることが好ましい。
【００５３】
例えば、再開表示から一度に複数の中断情報を選択可能である場合、操作者は、選択した複数の中断情報に対応する取引の各々における現金の入出金をまとめて行うことができるため、業務の効率性を向上させることができる。
【００５４】
ただし、現金の入出金をまとめて行った場合、操作者の誤入力等により、入力された入出金金額と、再開時に入出金された現金の合計金額とが一致しない際に、いずれの取引が原因で入出金金額と合計金額とが一致しないのか判別することが困難になる。したがって、中断時に入力された入出金金額と、再開時に入出金した現金の金額との不一致を取引ごとに確認するためには、再開表示から一度に選択可能な中断情報は、一つのみとすることが好ましい。これにより、操作者は、入力された入出金金額と、再開時に入出金した現金の金額とが一致していることを一つずつ確認しながら、再開した取引を行うことができる。
【００５５】
また、操作者の誤入力等により、中断時に入力された入出金金額と、再開時に入出金した現金の金額とが一致しない場合、制御部１５０は、操作者の操作に基づいて中断時に入力された入出金金額を修正してもよい。これにより、操作者は、誤入力等による入力された入出金金額と、入出金した現金の金額との不一致に対して、取引の取消等を行うことなく、取引の入出金金額を修正することができる。したがって、現金処理装置１は、操作者に対する利便性を向上させることができる。
【００５６】
さらに、入出金制御部１５７が行う制御により、操作者によって現金の入出金が行われた場合、レシートプリンタ部１３５は、取引における現金の入出金の結果を印字し、該取引を中断した際に発行された中断レシートと紐付けられた再開レシートを発行する。
【００５７】
具体的には、レシートプリンタ部１３５は、取引を中断した際に発行する中断レシートに識別情報となる整理番号または通し番号を印字し、該取引を再開した際に発行する再開レシートには、中断レシートに印字した整理番号または通し番号を印字する。これにより、レシートプリンタ部１３５は、中断レシートと再開レシートとを対応付けることができる。
【００５８】
ここで、再開レシートの具体例を図４に示す。図４は、再開レシートの具体例を示す説明図である。
【００５９】
図４に示すように、再開レシート３１０には、再開した取引に関する情報が印字されている。例えば、（１）には、取引時刻として「２０１５．０６．１６  １４：１５」が印字され、取引種別として「入金再開」が印字されている。（２）には、再開された取引の勘定日として「２０１５．０６．１５」が印字されている。また、（３）には、取引の再開操作を識別するための処理通番として「０００５９」が印字され、（４）には、再開操作を行った操作者（取扱者）を識別する識別番号として「１００１１１１１」が印字されている。
【００６０】
（５）には、再開した取引において、中断操作時に発行された中断レシートの処理通番である「０００１１」が対象通番として印字されている。これにより、取引の再開時に発行される再開レシートは、該取引の中断時に発行される中断レシートと対応付けられる。また、（６）には、再開した取引において、中断操作を行った操作者（対象者）の識別番号として「１００１１１１１」が印字されている。例えば、操作者が自分自身によって中断された取引を再開する場合、（４）に印字される識別番号と、（６）に印字される識別番号とは一致することになる。一方、例えば、管理者が自身の管理下の操作者によって中断された取引を再開する場合、（４）に印字される識別番号と、（６）に印字される識別番号とは異なることになる。
【００６１】
また、（７）には、中断操作時に入力した入出金金額である「１０，０００」が伝票金額として印字される。なお、再開操作後に入出金金額が修正された場合、伝票金額「１０，０００」は、修正後の入出金金額が印字される。さらに、（８）〜（１９）には、入出金された現金の金額と、入出金された現金の紙幣および硬貨の内訳が印字される。なお、図３、図４では、識別情報となる整理番号または通し番号を処理通番として記載している。
【００６２】
以上の構成を備える制御部１５０によれば、本実施形態に係る現金処理装置１は、操作者の中断操作によって入出金金額の入力にて取引を中断し、再開操作によって取引を再開することで、現金の入出金を行うことができる。これにより、操作者は、現金処理装置１が混雑している場合には、売上の集計等に必要な入出金金額の入力までで取引を中断し、取引にかかる時間を短縮することができる。よって、本実施形態に係る現金処理装置１は、操作者が現金処理装置の空きを待つ時間を短縮することができるため、操作者に対する利便性を向上させることができる。
【００６３】
＜４．現金処理装置の動作＞
続いて、図５〜図１１を参照して、本実施形態に係る現金処理装置１における入出金取引の流れについて、操作表示部１３３に表示される表示例を示しつつ、具体的に説明する。なお、以下では、主として入金取引について説明するが、出金取引についても同様であることは言うまでもない。
【００６４】
図５は、現金処理装置１における通常の入金取引の流れを示したフローチャート図である。また、図６は、中断操作が行われた入金取引の流れを示したフローチャート図であり、図７は、中断操作後、再開操作が行われた場合の流れを示したフローチャート図である。図８〜図１１は、操作表示部１３３に表示される表示の一例を示す模式図である。
【００６５】
まず、図５を参照して、本実施形態に係る現金処理装置１が行う通常の入金取引（中断操作等が行われない場合）の流れを説明する。
【００６６】
図５に示すように、まず、現金処理装置１は、カードリーダ部１３１によって操作者のＩＤカード等を読み取り、操作者の識別情報を取得する（Ｓ３０１）。次に、表示生成部１５５は、取引選択画面の表示を生成し、操作表示部１３３は、取引選択画面を表示する（Ｓ３０３）。
【００６７】
図８に取引選択画面２００の表示の一例を示す。図８に示すように、取引選択画面２００には、各種取引を選択するためのボタンが表示される。具体的には、取引選択画面２００には、出金取引を行うための出金ボタン２０１、入金取引を行うための入金ボタン２０２、現金処理装置１の設定を変更するための設定ボタン２０３、現金の装填・回収操作を行うための装填・回収ボタン２０４が表示されている。また、他に選択可能な取引が存在する場合、取引選択画面２００には、次候補ボタン２０５が表示される。操作者は、次候補ボタンを押下することにより、他の取引を選択するためのボタンを操作表示部１３３に表示させることができる。
【００６８】
入金ボタン２０２が押下され、入金取引が選択された場合（Ｓ３０５）、表示生成部１５５は、入金金額の入力画面の表示を生成し、操作表示部１３３は、入金金額の入力画面を表示する。表示された入金金額の入力画面には、操作者によって入金金額（以下、伝票金額ともいう）が入力される（Ｓ３０７）。
【００６９】
図９に入金金額の入力画面２１０の表示の一例を示す。図９に示すように、入力画面２１０には、操作者が入金金額を入力するための入力欄２１１が表示される。また、入力画面２１０には、入金取引を続けるための確認ボタン２１２と、入金取引を中断するための中断ボタン２１３とが表示される。操作者は、入金金額を入力欄２１１に入力し、確認ボタン２１２を押下することで、入金取引を続行し、現金の入金を行うことができる。なお、中断ボタン２１３が押下された場合については図６を参照して後述する。
【００７０】
入金金額が入力欄２１１に入力され、確認ボタン２１２が押下された後、操作者によって現金の入金が行われる（Ｓ３０９）。紙幣投入口１０１および硬貨投入口１１７から投入された現金は、紙幣一時保留部１０３および硬貨一時保留部１２１に搬送された後、金額が計数され（Ｓ３１１）、計数された現金の金額は、操作表示部１３３に表示される（Ｓ３１３）。
【００７１】
ここで、現金処理装置１において一時に投入可能な現金の量には制限がある。そのため、投入する現金の量が多く、追加で現金の入金をする必要がある場合、操作者は、追加入金ボタン（図示せず）を押下することで、追加入金を選択し（Ｓ３１５／Ｙｅｓ）、再度、現金の入金（Ｓ３０９）を行ってもよい。現金の追加入金がない場合、操作者は、計数された現金の金額を確認し、確認ボタン（図示せず）を押下する（Ｓ３１５／Ｎｏ）。これにより、現金処理装置１は、現金の入金が完了したと判断する。
【００７２】
なお、現金の入金後、操作者が計数された現金の金額を確認した際に、誤入力等により入力された入金金額を修正する必要が生じた場合（Ｓ３１７／Ｙｅｓ）、操作者は、入金金額の入力画面に戻り、入力金額を修正してもよい（Ｓ３１９）。入金金額の修正がない場合（Ｓ３１７／Ｎｏ）、および入力金額の修正が行われた場合、レシートプリンタ部１３５は、取引の結果をレシートに印字し、操作者に対してレシートを発行する（Ｓ３２１）。その後、現金処理装置１は、紙幣一時保留部１０３および硬貨一時保留部１２１に搬送されていた現金を収納する（Ｓ３２３）。具体的には、現金処理装置１は、紙幣を各紙幣カセット（万券カセット１０７、五千券カセット１０９、および千券カセット１１１）に収納し、硬貨を出金ホッパ１２５に収納する。
【００７３】
次に、図６を参照して、本実施形態に係る現金処理装置１にて、中断操作が行われた場合の入金取引の流れを説明する。
【００７４】
図６に示すように、まず、現金処理装置１は、カードリーダ部１３１によって操作者のＩＤカード等を読み取り、操作者の識別情報を取得する（Ｓ１０１）。次に、表示生成部１５５は、取引選択画面の表示を生成し、操作表示部１３３は、取引選択画面を表示する（Ｓ１０３）。取引選択画面において、入金取引が選択された場合（Ｓ１０５）、表示生成部１５５は、入金金額の入力画面の表示を生成し、操作表示部１３３は、入金金額の入力画面を表示する。表示された入金金額の入力画面には、操作者によって入金金額が入力される（Ｓ１０７）。
【００７５】
ここで、入力画面に入力金額が入力された後、入金取引を中断するための中断ボタン２１３が押下され、取引の中断が選択された場合（Ｓ１０９）、操作表示部１３３は、入力された入金金額（伝票金額）を表示する（Ｓ１１１）。このとき、誤入力等により、入力された入金金額（伝票金額）を修正する必要が生じた場合（Ｓ１１３／Ｙｅｓ）、操作者は、入金金額の入力画面に戻り、入力金額を修正してもよい（Ｓ１１５）。
【００７６】
入金金額の修正がない場合（Ｓ１１３／Ｎｏ）、および入力金額の修正が行われた場合、中断情報生成部１５１は、中断操作を行った操作者の識別情報と、入力された入金金額とを紐付けた中断情報を生成する（Ｓ１１７）。生成された中断情報は、中断情報記憶部１５３に記憶される（Ｓ１１９）。続いて、レシートプリンタ部１３５は、中断情報を含む取引に関する情報を中断レシートとして印字し、操作者に対して中断レシートを発行する（Ｓ１２１）。
【００７７】
以上の流れによって、現金処理装置１は、操作者からの中断操作に対して、取引の中断を実行する。
【００７８】
続いて、図７を参照して、本実施形態に係る現金処理装置１にて、再開操作により中断操作が行われた取引を再開する場合の入金取引の流れを説明する。
【００７９】
図７に示すように、まず、現金処理装置１は、カードリーダ部１３１によって操作者のＩＤカード等を読み取り、操作者の識別情報を取得する（Ｓ２０１）。次に、表示生成部１５５は、取引選択画面の表示を生成し、操作表示部１３３は、取引選択画面を表示する。また、表示生成部１５５は、入金取引および入金取引再開の選択画面の表示を生成し、操作表示部１３３は、選択画面を表示する（Ｓ２０３）。
【００８０】
ここで、図１０に選択画面２２０の表示の一例を示す。図１０に示すように、選択画面２２０には、入金取引を行うための入金ボタン２２１、入金取引再開を行うための入金再開ボタン２２２が表示される。例えば、表示生成部１５５は、まず、図８に示す取引選択画面２００を表示し、入金ボタン２０２が押下された場合、図１０に示す選択画面２２０を表示してもよい。操作者は、入金再開ボタン２２２を選択することにより、中断した入金取引を再開することができる。
【００８１】
入金再開ボタン２２２が押下され、入金取引再開が選択された場合（Ｓ２０５）、表示生成部１５５は、操作者の識別情報に基づいて中断情報を抽出し、抽出した中断情報を含む再開表示を生成する（Ｓ２０７）。生成された再開表示は、表示生成部１５５に表示される。
【００８２】
図１１に再開表示２３０の一例を示す。図１１に示すように、再開表示２３０には、中断された取引の中断情報がリスト状に一覧表示された中断取引リスト２３１が表示される。操作者は、選択ボタン２３４を押下することで、中断取引リスト２３１から再開したい取引を選択し、取引を再開することができる。なお、中断取引リスト２３１の「処理通番」は、中断レシートにおいて取引の中断操作を識別するために印字された処理通番に対応する。操作者は、中断レシートに印字された処理通番を参照することで、いずれの中断情報がいずれの取引に対応するのかを把握することができる。
【００８３】
また、中断した取引の数が多いため、表示される中断情報が１ページの中断取引リスト２３１に収まりきらない場合、表示生成部１５５は、中断取引リスト２３１を複数ページに分けて表示してもよい。このような場合、表示生成部１５５は、「前を表示」ボタン２３２および「次を表示」ボタン２３３を表示する。操作者は、「前を表示」ボタン２３２および「次を表示」ボタン２３３を押下することにより、中断取引リスト２３１のページを切り替えることができる。
【００８４】
図１１に示した再開表示２３０では、操作者が自身によって中断した取引を再開する場合を示したため、「オペレータＩＤ」欄には、１種類のＩＤしか表示されていない。一方で、例えば、管理者が再開操作を行った場合、「オペレータＩＤ」欄には、該管理者の管理下にある操作者の複数のＩＤが表示されることになる。
【００８５】
再開表示２３０の中断取引リスト２３１から再開する取引が選択された場合（Ｓ２０９）、操作表示部１３３は、中断操作時に入力された入金金額（伝票金額）を表示する（Ｓ２１１）。次に、表示された入金金額を確認した操作者によって現金の入金が行われる（Ｓ２１３）。紙幣投入口１０１および硬貨投入口１１７から投入された現金は、紙幣一時保留部１０３および硬貨一時保留部１２１に搬送された後、金額が計数され（Ｓ２１５）、計数された現金の金額は、操作表示部１３３に表示される（Ｓ２１７）。
【００８６】
ここで、上述したように、現金処理装置１では、一時に投入可能な現金の量には制限がある。そのため、投入する現金の量が多く、追加で現金の入金をする必要がある場合、操作者は、追加の現金入金を選択し（Ｓ２１９／Ｙｅｓ）、再度、現金の入金（Ｓ２１３）を行ってもよい。一方、現金の追加入金がない場合、操作者は、計数された現金の金額を確認し、現金の入金を終了する。
【００８７】
また、現金の入金後、計数された現金の金額を操作者が確認した際に、誤入力等により入力された入金金額を修正する必要が生じた場合（Ｓ２２１／Ｙｅｓ）、操作者は、入金金額の入力画面に戻り、入力金額を修正してもよい（Ｓ２２３）。
【００８８】
入金金額の修正がない場合（Ｓ２２１／Ｎｏ）、および入力金額の修正が行われた場合、レシートプリンタ部１３５は、入金取引再開の結果を再開レシートとして印字し、操作者に対して再開レシートを発行する（Ｓ２２５）。なお、再開レシートには、中断レシートの処理通番が印字され、これにより、操作者は、同一取引における再開レシートと中断レシートとを対応付けることができる。
【００８９】
その後、現金処理装置１は、紙幣一時保留部１０３および硬貨一時保留部１２１に搬送されていた現金を収納する（Ｓ２２７）。具体的には、現金処理装置１は、紙幣を各紙幣カセット（万券カセット１０７、五千券カセット１０９、および千券カセット１１１）に収納し、硬貨を出金ホッパ１２５に収納する。
【００９０】
以上の流れにより、本実施形態に係る現金処理装置１は、操作者の中断操作により、入出金金額の入力にて入出金取引を中断することができる。また、現金処理装置１は、操作者の再開操作により、中断した取引を再開し、現金の入出金を行うことができる。
【００９１】
これにより、操作者は、現金処理装置１が混雑等している場合には、取引を中断することで、他の操作者が現金処理装置１の空きを待つ時間を短縮することができる。また、操作者は、現金処理装置１が混雑していない時に取引を再開し、計数等により時間がかかる現金の入出金を行うことができる。したがって、本実施形態に係る現金処理装置１によれば、操作者に対する利便性を向上させることができる。
【００９２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９３】
例えば、上記実施形態では、主として現金処理装置にて入金取引が行われる場合を例示して説明したが、本発明はかかる例に限定されない。例えば、本発明に係る現金処理装置にて出金取引が行われる場合も、同様の構成および方法にて取引の中断および再開を行うことができる。
【符号の説明】
【００９４】
１        現金処理装置
１０１    紙幣投入口
１０３    紙幣一時保留部
１０５    紙幣鑑別部
１０７    万券カセット
１０９    五千券カセット
１１１    千券カセット
１１３    回収カセット
１１５    リジェクト部
１１７    硬貨投入口
１１９    硬貨鑑別部
１２１    硬貨一時保留部
１２３    硬貨返却箱
１２５    出金ホッパ
１２７    硬貨回収庫
１２９    硬貨出金箱
１３１    カードリーダ部
１３３    操作表示部
１３５    レシートプリンタ部
１５０    制御部
１５１    中断情報生成部
１５３    中断情報記憶部
１５５    表示生成部
１５７    入出金制御部
【図１】
0006544078.tif 000002
【図２】
0006544078.tif 000003
【図３】
0006544078.tif 000004
【図４】
0006544078.tif 000005
【図５】
0006544078.tif 000006
【図６】
0006544078.tif 000007
【図７】
0006544078.tif 000008
【図８】
0006544078.tif 000009
【図９】
0006544078.tif 000010
【図１０】
0006544078.tif 000011
【図１１】
0006544078.tif 000012